(57)【要約】【課題】複数の画像の中から特定画像を選択することで個人認証する認証方式において、認証画面の覗き見を抑制することができる個人認証システムを提供する。【解決手段】認証画面１４には、複数の画像１３，１３…が表示され、ユーザによって選択された画像１３が、予め電子機器（コンピュータ）に登録されたパス画像と一致するか否かを確認することにより、ユーザが認証され、認証が一致すれば電子機器の使用が許可される。本例の場合、認証画面１４の画像配列画面１４ａにブラインド画面２４が表示され、画像１３の覗き見が抑制されている。【選択図】図４
2013156690.tif 000002
【特許請求の範囲】
【請求項１】
コンピュータの画面に複数の認証画像を表示させ、これら認証画像群の中から画像を選択させ、選択画像の正当性を判定することにより、個人認証を行う個人認証システムにおいて、
前記認証画像の少なくとも１つを透かした状態で隠すブラインド画面を、画面上に表示するブラインド表示手段を備えた
ことを特徴とする個人認証システム。
【請求項２】
前記ブラインド表示手段は、前記ブラインド画面の透かし量を調整する調整ボタンを前記画面に表示し、当該調整ボタンによる調整量に応じた透かし量で前記ブラインド画面を表示する
ことを特徴とする請求項１に記載の個人認証システム。
【請求項３】
前記ブラインド表示手段は、前記コンピュータの電源オフ時、現在の透かし量を保持し、次回の電源再投入時、その保持した透かし量で前記ブラインド画面を再表示する
ことを特徴とする請求項１又は２に記載の個人認証システム。
【請求項４】
前記ブラインド画面には、広告画像が表示されている
ことを特徴とする請求項１〜３のうちいずれか一項に記載の個人認証システム。
【請求項５】
ネットワークを介して前記ブラインド画面の画像データを収集する画像データ収集手段を備え、前記ブラインド表示手段は、表示する前記ブラインド画面を、収集した前記画像データを基に切り換え表示する
ことを特徴とする請求項１〜４のうちいずれか一項に記載の個人認証システム。
【請求項６】
前記コンピュータの現在位置を検出する位置検出手段を備え、前記ブラインド表示手段は、前記コンピュータの現在位置に応じた前記ブラインド画面を前記画面に表示する
ことを特徴とする請求項１〜５のうちいずれか一項に記載の個人認証システム。
【発明の詳細な説明】
【技術分野】
【０００１】
本発明は、ユーザの正当性を認証する個人認証システムに関する。
【背景技術】
【０００２】
従来から周知のように、例えば高機能携帯電話やパーソナルコンピュータ等の端末では、電源投入により起動した際、正規ユーザによる操作か否かの確認のために認証画面を立ち上げ、認証画面に正しい情報が入力されることによって操作者の正当性が確認できれば、端末の使用が可能となる。この種の認証画面としては、数字や英文字等のワードを入力して、この入力ワードが正しいか否かを確認するパスワード式が広く普及している。
【０００３】
ところで、パスワードは、種々の数字や英文字をランダムに組み合わせた情報であるので、これを常時覚えておくのはユーザにとって酷である。また、パスワード盗難対策のために、パスワードを定期的に更新する必要がある場合、パスワードを変える度に、新たなパスワードを覚えておく必要があり、現実として利便性がよくない問題があった。
【０００４】
そこで、文字や記号の羅列であるパスワードを使用するのではなく、端末に複数の画像（写真や絵柄等の画像イメージ）を予め取り込んでおき、これら画像の中から正しい画像を選択することでユーザを認証する画像選択式が検討されている（例えば非特許文献１等参照）。画像選択式であれば、自身に関係のある画像を覚えておけばよいので、仮に正解画像を定期的に変更する場合であっても、その正解画像を覚えておき易い利点がある。
【先行技術文献】
【非特許文献】
【０００５】
【非特許文献１】Unix Magazine「インターフェースの街角」  出版社アスキー  2005年2月号「最近の画像認証」  インターネット＜URL：http://www.pitecan.com/UnixMagazine/PDF/if0502.pdf＞（2012年1月18日検索）
【発明の概要】
【発明が解決しようとする課題】
【０００６】
しかし、この画像選択式において、画像をユーザが選んでいる際、画面が覗き見されると、正解画像を知られてしまうことになるので、何らかの対応が必要であった。また、画像選択式の場合、端末に表示する画像の中にプライベートな画像を使用することもあるので、認証画面の立ち上げ中、この画像が他人に見られてしまうと、プライバシーを侵害されてしまう問題に繋がる可能性があった。
【０００７】
本発明の目的は、複数の画像の中から特定画像を選択することで個人認証する認証方式において、認証画面の覗き見を抑制することができる個人認証システムを提供することにある。
【課題を解決するための手段】
【０００８】
前記問題点を解決するために、本発明では、コンピュータの画面に複数の認証画像を表示させ、これら認証画像群の中から画像を選択させ、選択画像の正当性を判定することにより、個人認証を行う個人認証システムにおいて、前記認証画像の少なくとも１つを透かした状態で隠すブラインド画面を、画面上に表示するブラインド表示手段を備えたことを要旨とする。
【０００９】
本発明の構成によれば、画面上に表示された認証画像群のうち、ユーザにより選択された画像の正当性を確認することにより個人認証する個人認証システムにおいて、認証画像を透かし表示するブラインド画面を画面上に表示する。よって、個人情報の可能性が高い認証画像をブラインド画面で隠すことが可能となるので、認証画像の覗き見を抑制することが可能となる。このため、正解画像の盗み見防止やプライバシーの保護などに効果が高くなる。
【００１０】
本発明では、前記ブラインド表示手段は、前記ブラインド画面の透かし量を調整する調整ボタンを前記画面に表示し、当該調整ボタンによる調整量に応じた透かし量で前記ブラインド画面を表示することを要旨とする。この構成によれば、ブラインド画面の透かし量を、調整ボタンを操作することにより自由に変更することが可能となるので、ユーザが所望する透かし量に適宜設定することが可能となる。
【００１１】
本発明では、前記ブラインド表示手段は、前記コンピュータの電源オフ時、現在の透かし量を保持し、次回の電源再投入時、その保持した透かし量で前記ブラインド画面を再表示することを要旨とする。この構成によれば、コンピュータに電源を再投入した際、ブラインド画面が前回と同じ透かし量で表示されるので、利便性向上に効果が高い。
【００１２】
本発明では、前記ブラインド画面には、広告画像が表示されていることを要旨とする。この構成によれば、認証時には、ブラインド画面上に広告画像が表示されるので、認証時において企業／店舗等の種々の情報をユーザに広告することが可能となる。従って、認証画面の覗き見防止と企業／店舗の広告実施とを両立することが可能となる。また、広告画像は認証画像の覗き見を防止するために表示されるので、広告画像が目障りに感じ難く、効果的な広告が可能となる。
【００１３】
本発明では、ネットワークを介して前記ブラインド画面の画像データを収集する画像データ収集手段を備え、前記ブラインド表示手段は、表示する前記ブラインド画面を、収集した前記画像データを基に切り換え表示することを要旨とする。この構成によれば、ブラインド画面の画像データを収集してブラインド画面が切り換え表示（更新表示）されるので、ブラインド画面をその時々において最適な画面で表示することが可能となる。
【００１４】
本発明では、前記コンピュータの現在位置を検出する位置検出手段を備え、前記ブラインド表示手段は、前記コンピュータの現在位置に応じた前記ブラインド画面を前記画面に表示することを要旨とする。この構成によれば、コンピュータの位置を位置検出手段で検出可能とし、ブラインド画面を現在位置に応じた画面で表示するので、ブラインド画面をその時々において最適な画面で表示することが可能となる。また、コンピュータの近くに店舗が存在する場合には、その店舗のサービス券画像等を画面に表示することが可能となるので、効率のよい広告が可能となる。
【発明の効果】
【００１５】
本発明によれば、複数の画像の中から特定画像を選択することで個人認証する認証方式において、認証画面の覗き見を抑制することができる。
【図面の簡単な説明】
【００１６】
【図１】一実施形態の個人認証システムのブロック図。
【図２】認証画面の画面図。
【図３】パス画像登録画面の画面図。
【図４】ブラインド画面が表示された認証画面、及びブラインド画面の濃淡の切り換えの様子を示す画面図。
【図５】ブラインド画面の原理を示す概念図。
【図６】サービス券画像が表示された認証画面の画面図。
【図７】ブラインド画面が表示された認証画面の画像をタップする様子を示す説明図。
【図８】別例のブラインド画面の原理を示す概念図。
【図９】他の別例のブラインド画面の原理を示す概念図。
【発明を実施するための形態】
【００１７】
以下、本発明を具体化した個人認証システムの一実施形態を図１〜図７に従って説明する。
［全体のシステム構成］
図１に示す電子機器１は、例えば高機能携帯電話（スマートフォン）やタブレット端末である。電子機器１には、電子機器１を統括制御するコントローラ２が設けられている。電子機器１には、電子機器１に電源を投入する際に操作する電源ボタン３と、電子機器１を操作するための操作ボタン４と、各種画面表示及びタッチ操作が可能なタッチパネル５とが設けられ、これらがコントローラ２に接続されている。
【００１８】
電子機器１には、ネットワーク網６を介してサーバ７と広域無線による通信が可能なネットワーク通信部８が設けられている。ネットワーク通信部８は、ＩＰプロトコルによりサーバ７と通信する。電子機器１は、ネットワーク網６を介してサーバ７と各種データをやり取りする。なお、電子機器１は、高機能携帯電話の場合、携帯電話網（図示略）を介して、他の携帯電話との通話が可能である。
【００１９】
電子機器１には、画像を撮影可能なカメラ９が設けられている。カメラ９は、撮影した画像データを、コントローラ２に出力可能である。
電子機器１には、例えばメモリーカードやＵＳＢ（Universal Serial Bus）メモリなどの外部記憶媒体１０が接続可能である。外部記憶媒体１０は、電子機器１に配設された接続ポート１１に接続される。外部記憶媒体１０は、接続ポート１１に接続された際、内部に記憶した画像データを、接続ポート１１を介してコントローラ２に出力可能である。
【００２０】
［パス画像認証機能］
図１に示すように、電子機器１には、電子機器１の使用に先駆け、ユーザの正当性を確認する個人認証システム１２が設けられている。本例の個人認証システム１２は、電子機器１の電源投入時、図２に示すように、タッチパネル５に表示された複数の認証用の画像（以下、画像１３と記す）が配列された認証画面１４を表示し、これらの中でユーザによって選択された画像１３が正しいか否かを確認することにより、ユーザを認証する画像選択式（パスイメージ式）である。画像１３は、認証画面１４、つまり画像配列画面１４ａにおいて行及び列の各方向に羅列表示され、タッチパネル５を突くタップ操作によって選択される。
【００２１】
図１に示すように、コントローラ２には、認証画面１４に表示する画像１３の画像データ（以降、認証用画像データ１６と記す）を蓄積／保存する認証用画像データデータベース１５が設けられている。認証用画像データデータベース１５内の認証用画像データ１６は、カメラ９により撮影された画像、ネットワーク通信を介して取得した画像、外部記憶媒体１０から接続ポート１１を介して取得した画像などがある。
【００２２】
コントローラ２には、パスイメージ式の個人認証の動作を管理する個人認証部１７が設けられている。個人認証部１７には、電子機器１にパスイメージ（以下、パス画像と記す）を登録するパス画像登録部１８が設けられている。パス画像登録部１８は、電子機器１においてパス画像の登録操作が実行されると、図３に示すパス画像登録画面１９をタッチパネル５に立ち上げる。パス画像登録画面１９には、認証用画像データデータベース１５に保存された認証用画像データ１６が一覧表示される。パス画像登録部１８は、パス画像登録画面１９でユーザが選択した２以上の画像１３を、パス画像としてコントローラ２に登録する。
【００２３】
図１に示すように、個人認証部１７には、タッチパネル５に表示する画像１３の表示を制御する認証画面表示処理部２０が設けられている。認証画面表示処理部２０は、電子機器１の電源投入時、認証用画像データデータベース１５から複数の認証用画像データ１６を読み出し、読み出した認証用画像データ１６の群を、図２に示す認証画面１４としてタッチパネル５に表示する。認証画面表示処理部２０は、認証画面１４において４行×５列の合計２０枚の画像１３を表示し、ユーザに所定画像を選択操作させる。なお、認証画面１４の画像１３の行／列の数は、例えばパス画像登録画面１９等から、適宜設定変更が可能である。
【００２４】
図２に示すように、認証画面１４には、認証画面１４において画像１３が何枚選択済みとなったのかを表示する選択枚数表示枠１４ｂが設けられている。認証画面１４の画像１３を順にタップして選択していく際、画像１３が１枚選択される度に、選択枚数表示枠１４ｂに「＊」が１つずつ順に表示されていく。即ち、画像１３の１枚目選択時、「＊」と表示され、画像１３の２枚目選択時、「＊＊」と表示され、画像選択が完了する度に、「＊」が増えていく。
【００２５】
図２に示すように、認証画面１４の下寄りの位置には、リセットボタン２１及び認証開始ボタン２２が表示されている。リセットボタン２１は、画像１３の選択をやり直す際にタップするボタンである。認証開始ボタン２２は、画像１３の選択後、登録されたパス画像との認証を開始する際にタップするボタンである。
【００２６】
図１に示すように、個人認証部１７には、認証画面１４でユーザが選択した画像１３の正当性を判定する選択画像認証部２３が設けられている。選択画像認証部２３は、認証画面１４で選択された選択画像と、電子機器１に登録されたパス画像とを比較することにより、ユーザを認証する。選択画像認証部２３は、選択画像とパス画像とが一致することを確認すると認証成立とみなし、電子機器１の操作を許可する。
【００２７】
［認証画面覗き見防止機能］
個人認証システム１２には、タッチパネル５に認証画面１４を表示している最中、他人による認証画面１４の覗き見を抑制する認証画面覗き見防止機能が設けられている。本例の認証画面覗き見防止機能は、電子機器１の電源投入時にタッチパネル５に認証画面１４を立ち上げる際、図４に示すように、認証画面１４の上面にブラインド画面２４を表示して、ブラインド画面２４を画像配列画面１４ａの上面に重ね表示する。これにより、画像１３の群がブラインド画面２４によって隠されるので、ユーザのプライバシーが保護される。
【００２８】
ブラインド画面２４には、例えば企業／店舗等が提供する広告画像２５が表示されている。広告画像２５は、ブラインド画面２４上に表示されるので、ブラインド画面２４の透かし量に応じた濃淡で広告のデザインや文字等が表示される。認証画面１４の各画像１３は、ブラインド画面２４によって隠されてはいるが、ブラインド画面２４の隙間越しに確認することが可能である。
【００２９】
ブラインド画面２４には、ブラインド画面２４の透かし量を調整する濃淡調整バー２６が設けられている。ブラインド画面２４の透かし量の調整は、タッチパネル５上の濃淡調整バー２６をタッチし、タッチしたままの状態で、濃淡調整バー２６を左右に動かすことにより実行する。ちなみに、濃淡調整バー２６を左に動かすと、ブラインド画面２４の透かし量が少なく（画像１３が見え易く）なり、濃淡調整バー２６を右に動かすと、ブラインド画面２４の透かし量が多く（画像１３が見え難く）なる。
【００３０】
図１に示すように、コントローラ２には、コントローラ２には、広告画像２５の画像データ（以降、広告画像データ２８と記す）を蓄積／保存する認証画面隠し画像データベース２７が設けられている。認証画面隠し画像データベース２７内の広告画像データ２８は、認証画面隠し画像データベース２７に予め登録されていてもよいし、外部からネットワーク通信等を介して別途取得してもよい。
【００３１】
コントローラ２には、タッチパネル５に認証画面１４が表示される際、ブラインド画面２４を認証画面１４の上面に重ね表示して、ブラインド画面２４の広告画像２５によって認証画面１４を隠すブラインド表示処理部２９が設けられている。図５に示すように、ブラインド表示処理部２９は、広告画像２５が載ったブラインド画面２４を、画像配列画面１４ａの上面に重ね配置することで画像１３を隠すとともに、ブラインド画面２４の画像の透明度を変えることにより、ブラインド画面２４の濃淡を切り換える。
【００３２】
選択画像認証部２３は、画像１３の群の上面にブラインド画面２４が重ね表示されていても、図４に示すように、画面上における１つの画像１３の表示領域Ｅを、１つの認証用の画像として認識している。即ち、画像１３の上面にブラインド画面２４が重なっていても、画像１３のタッチ操作は可能である。これにより、画像１３の画像群の上面にブラインド画面２４が表示されても、通常通り、画像１３のタップが可能である。
【００３３】
ブラインド表示処理部２９は、電子機器１の電源がオフに切り換えられる際、このとき濃淡調整バー２６によって設定されているブラインド画面２４の透かし量のデータを、コントローラ２のメモリ（図示略）に保持する。そして、次回の電源投入時、ブラインド表示処理部２９は、メモリに保持しておいた透かし量のデータを基に、そのデータに基づく透かし量でブラインド画面２４を表示する。
【００３４】
［認証画面隠し画像ストック機能］
図１に示すように、認証画面覗き見防止機能には、広告画像２５のデータを外部から取り込んでストックする認証画面隠し画像ストック機能が設けられている。コントローラ２には、広告画像データ２８をネットワーク通信により収集する広告画像取得部３０が設けられている。広告画像取得部３０は、電子機器１が電源オンされてパス画像による認証成立後の起動中、定期的にサーバ７に問合せすることにより、新たな広告画像データ２８を取得し、取得した広告画像データ２８を認証画面隠し画像データベース２７に保存する。
【００３５】
ブラインド表示処理部２９は、認証画面１４に重ね表示するブラインド画面２４に載せる広告画像２５を定期的に更新する。即ち、広告画像２５は、いつも同じ広告が表示されないように、例えば数時間や１日の間隔で更新表示される。
【００３６】
コントローラ２には、電子機器１の現在位置周辺の店舗に関係する情報（以降、店舗情報データ３１と記す）を収集する周辺店舗情報取得部３２が設けられている。周辺店舗情報取得部３２は、電子機器１に搭載されたＧＰＳ（Global Positioning System）３３から入力される位置情報から、電子機器１の現在位置を把握し、その位置データをサーバ７に送信することにより、電子機器１の周辺（例えば、半径数100m程度）に存在する店舗を検索する。そして、現在位置の周辺に店舗が存在すれば、周辺店舗情報取得部３２は、その周辺店舗の店舗情報データ３１を、ネットワーク通信等を介して取得し、取得した店舗情報データ３１を認証画面隠し画像データベース２７に保存する。店舗情報データ３１は、例えばクーポン等のサービス券である。
【００３７】
周辺店舗情報取得部３２は、電子機器１に電源が投入されていれば、スリープ中／起動中に関わらず、定期的に動作する。即ち、周辺店舗情報取得部３２は、電子機器１がスリープ中／起動中のいずれの状態のときも、電子機器１の位置検索を定期的に行って、店舗情報データ３１を収集する。なお、スリープ状態とは、電子機器１に電源が入っているものの、省電力化のためにコントローラ２のＣＰＵを待機状態にする動作である。
【００３８】
ブラインド表示処理部２９は、認証画面１４を表示する際、周辺に店舗が存在すれば、図６に示すように、その店舗のサービス券画像３４をブラインド画面２４に優先して載せて表示する。一方、ブラインド表示処理部２９は、認証画面１４を表示する際、周辺に店舗が存在しなければ、そのとき表示対象となっている広告画像２５をブラインド画面２４に載せて表示する。
【００３９】
［広告先アクセス機能］
図１に示すように、コントローラ２には、広告画像２５が指定するアクセス先に通信を実行する広告先アクセス機能が設けられている。この場合、図２、図４、図７等に示すように、認証画面１４には、広告画像２５に関連するホームページにアクセスを希望する際にチェックを入れるチェックボックス３５が設けられている。チェックボックス３５は、タップされる度に、チェックの有／無が切り換わる。
【００４０】
コントローラ２には、チェックボックス３５にチェックが入っている際、認証成立後、広告画像２５のホームページにアクセスするアクセス実行部３６が設けられている。アクセス実行部３６は、パス画像による認証成立時、チェックボックス３５にチェックが入っていれば、広告画像２５に関連付けられたＵＲＬを基に、ネットワーク通信を介して、広告画像２５を提供する企業／店舗等のホームページにアクセスする。これにより、パス画像による認証成立後、タッチパネル５には、広告画像２５の企業／店舗のホームページがダイレクトに表示される。
【００４１】
次に、本例の個人認証システム１２の動作を、図２、図４及び図７を用いて説明する。
電子機器１の電源オフ時、電源ボタン３が操作されると、電子機器１に電源が投入される。このとき、認証画面表示処理部２０は、認証用画像データデータベース１５内の複数の認証用画像データ１６を基に、図２に示す認証画面１４をタッチパネル５に表示する。認証画面１４は、タッチパネル５の画面内に、複数の画像１３が行及び列の各方向に羅列表示されている。なお、認証画面１４は、電源投入時の画面表示の度に画像１３の位置が入れ換え表示されてもよい。
【００４２】
この電源投入時、図４に示すように、ブラインド表示処理部２９は、認証画面隠し画像データベース２７内の広告画像データ２８を基に、広告画像２５が載ったブラインド画面２４を、画像配列画面１４ａの上面に重ね表示する。ブラインド画面２４は、各ドットにおいて画像の透明度を低くすることにより生成された１枚のシート画像であって、透かし部分から裏面の画像１３が見える。なお、ブラインド画面２４の透かし量は、濃淡調整バー２６を画面上で操作することにより、調整可能である。
【００４３】
ブラインド画面２４が重ね表示された認証画面１４において画像１３を選択するとき、図７に示すように、ブラインド画面２４越しに所望の画像１３をタップする。このとき、タップされた画像１３は、選択が完了、つまりクリックされたのと同様となる。そして、画像１３を認証に必要な枚数選択し、選択完了後、認証開始ボタン２２をタップする。
【００４４】
選択画像認証部２３は、認証開始ボタン２２がタップされたことを確認すると、選択された画像１３と、電子機器１に予め登録されたパス画像（即ち、正解画像）とを比較することにより、ユーザを認証する。選択画像認証部２３は、選択画像とパス画像とが一致することを確認すると、認証成立とみなし、電子機器１の使用を許可する。よって、電子機器１を自由に使用することが可能となる。
【００４５】
ここで、周辺店舗情報取得部３２は、電子機器１に電源が投入されていれば、スリープ中／起動中に関わらず、周辺に存在する店舗情報データ３１を、ネットワーク通信を介して取得している。よって、ブラインド表示処理部２９は、認証画面１４の表示の際、仮に店舗情報データ３１を取得していれば、この店舗情報データ３１を基に、サービス券画像３４を認証画面１４の上面に重ね表示する。よって、電子機器１を立ち上げたユーザに、近隣にサービス券の使用できる店舗の存在があることが通知される。
【００４６】
電子機器１が起動中、広告画像取得部３０は、定期的にサーバ７に問合せすることにより、新たな広告画像データ２８を取得し、取得した広告画像データ２８を認証画面隠し画像データベース２７に逐次ストックしていく。認証画面隠し画像データベース２７内の古くなった広告画像データ２８は、順次消去される。
【００４７】
パス画像による認証成立後、直ぐに広告画像２５のホームページにアクセスしたい場合は、認証画面１４のチェックボックス３５にチェックを付した状態で認証を成立させる。アクセス実行部３６は、認証成立時、チェックボックス３５にチェックが付されていることを確認すると、広告画像データ２８に紐付けされているＵＲＬを基に、広告画像２５を提供する企業／店舗にアクセスする。これにより、認証成立後、タッチパネル５に広告提供者のホームページが表示され、これが閲覧される。
【００４８】
本実施形態の構成によれば、以下に記載の効果を得ることができる。
（１）認証画面１４の画像配列画面１４ａの上面にブラインド画面２４を重ね表示するので、個人情報の可能性が高い画像１３をブラインド画面２４によって隠すことができる。従って、画像１３の覗き見を防止することができる。また、画像１３を勝手に見られないことによるプライバシーの保護にもなる。
【００４９】
（２）ブラインド画面２４に濃淡調整バー２６を設け、濃淡調整バー２６を操作することにより、ブラインド画面２４の透かし量を調整可能とした。このため、ブラインド画面２４をユーザが所望する透かし量に自由に調整することができる。
【００５０】
（３）電子機器１の電源がオフされた際、その時のブラインド画面２４の透かし量が保持され、次回電源投入時には、その透かし量でブラインド画面２４が表示される。よって、電子機器１の電源再投入時、ブラインド画面２４を前回と同じ透かし量で表示することが可能となるので、利便性向上に効果が高い。
【００５１】
（４）ブラインド画面２４に広告画像２５を表示するので、企業／店舗等が提供する種々の情報を、認証時においてユーザに広告することができる。よって、画像１３の覗き見防止と企業／店舗の広告実施とを両立することができる。また、広告画像２５は画像１３の覗き見対策のために表示されるので、広告画像２５を目障りに感じ難く、効果的な広告を行うことができる利点もある。
【００５２】
（５）新規の広告画像データ２８をサーバ７に問い合せてストックし、表示する広告画像２５を定期的に更新するので、広告画像２５をその時々において最適な画像で表示することができる。また、新規の広告画像２５を逐次表示することができる。
【００５３】
（６）電子機器１の現在位置を内蔵のＧＰＳ３３で検出し、広告画像２５を現在位置に応じた画像で表示する。よって、電子機器１に認証画面１４が表示される際、周囲に店舗等が存在すれば、その店舗のサービス券画像３４を表示することが可能となるので、効率のよい広告を実施することができる。また、店舗側としては集客に利点がある。
【００５４】
（７）２枚の画面（画像配列画面１４ａ、ブラインド画面２４）の上面側（ブラインド画面２４）の透明度を上げることによってブラインド画面２４を生成するので、画像の透明度を上げるという簡素な処理により、ブラインド画面２４を形成することができる。
【００５５】
なお、実施形態はこれまでに述べた構成に限らず、以下の態様に変更してもよい。
・図８に示すように、ブラインド画面２４は、細長い板状のブラインド部材４１を、長手方向に延びる軸４２回りに回転させる際の回転量を調整することにより、ブラインドの濃淡を切り換える構成でもよい。
【００５６】
・図９に示すように、ブラインド画面２４は、上面側に画像配列画面１４ａを配置し、下面側にブラインド画面２４を配置した場合、下面側のブラインド画面２４の透明度は変えず、上面側の画像配列画面１４ａの透明度を調整することにより、ブラインドの濃淡を切り換える構成でもよい。
【００５７】
・ブラインド画面２４は、認証画面１４を立ち上げている間、ずっと表示されることに限定されず、例えば一定時間のみ表示させるようにし、一定時間経過後、自動で消えるようにしてもよい。また、認証画面１４内に広告画像消去ボタン（閉じボタン）を設け、このボタンがタップされると、ブラインド画面２４が消去されてもよい。
【００５８】
・ブラインド画面２４の表示の仕方は、例えば徐々にサイズが拡大されていく形式や、画面の横や上などからスライドしながら表示される形式としてもよい。
・ブラインドの透かし量は、電源オフ時、保存して次回に使用できるようにすることに限定されず、保存せずに、電源投入時、基準値（デフォルト値）に毎回戻ってもよい。
【００５９】
・ブラインドの透かし量を調整する濃淡調整バー２６は、例えば図４において紙面右方向に動かすと透かし量が多くなり、紙面左方向に動かすと透かし量が少なくなる構成でもよい。また、濃淡調整バー２６が図４の紙面上下方向に操作されるタイプの場合、濃淡調整バー２６を紙面上方向に動かすと透かし量が多くなり、紙面下方向に動かすと透かし量が少なくなる構成でもよい。
【００６０】
・ブラインドの透かし量は、濃淡調整バー２６を操作して設定する形式に限定されない。例えば、透かし量の数値を直接画面入力するなど、他の形式に適宜変更可能である。
・認証画面１４の表示は、電子機器１に電源が投入されたときに限定されない。例えば、電子機器１がスリープ状態から起動状態に切り換わるときでもよい。
【００６１】
・電子機器１は、一定時間使用されないと、次使用時に認証が課されてもよい。
・必要枚数の画像１３の選択が完了した時点で、自動で認証が開始されてもよい。
・広告画像２５の更新は、例えば表示回数が所定回数以上となった際に実施されてもよい。
【００６２】
・電子機器１の位置に応じた広告画像２５の表示は、広告画像データ２８に位置情報が紐付けされていれば、これを基に広告表示を行うことも可能である。
・広告画像データ２８や店舗情報データ３１は、外部記憶媒体１０から取り込むようにしてもよい。
【００６３】
・電子機器１が電源オフのとき、サーバ７が広告画像データ２８や店舗情報データ３１を蓄積しておき、電子機器１に電源が再投入された際、サーバ７から蓄積したデータを電子機器１に配布するようにしてもよい。
【００６４】
・ブラインド画面２４のサイズは、画像配列画面１４ａの略全体を覆うサイズに限定されず、例えば所定画像のみ隠す大きさや、タッチパネル５の画面全体を隠す大きさを有していてもよい。
【００６５】
・位置検出手段は、ＧＰＳ３３に限定されない。例えば、電子機器１が無線ＬＡＮを介した通信機能を有する場合、無線ＬＡＮを介して自身の位置情報を把握してもよい。
・広告画像２５を表示する際、音声広告を含ませてもよい。
【００６６】
・ブラインド画面２４に表示されるデザインは、広告画像２５に限定されず、単なる絵柄／文字などの意匠画面や、使用のヘルプ画面など、他の画面に変更可能である。
・画像選択は、タップ操作に限定されず、例えば画面に触れた時点で選択が完了するタッチ操作でもよい。
【００６７】
・電子機器１からカメラ９を省略してもよい。また、電子機器１は、外部記憶媒体１０を接続できないものとしてもよい。
・電子機器１は、高機能携帯電話やタブレット端末等に限定されず、例えばパーソナルコンピュータとしてもよい、この場合、デスクトップ型又はノート型のいずれでもよい。パーソナルコンピュータの場合、画像１３の選択は、画面内のカーソルを画像１３に位置合わせし、その後、マウス等でクリックすることにより行う。
【００６８】
次に、上記実施形態及び別例から把握できる技術的思想について、それらの効果とともに以下に追記する。
（イ）請求項１〜６のうちいずれかにおいて、前記ブラインド表示手段は、重ね表示する前記認証画像及び前記ブラインド画面のうち、上面に位置する側の透明度を上げることにより、前記ブラインド画面を画面表示する。
【００６９】
（ロ）請求項１〜６，前記技術的思想（イ）のいずれかにおいて、前記認証用画像の選択操作は、タップ操作である。この構成によれば、画面をタップするという直感的な操作によって画像を選択することが可能となる。
【００７０】
（ハ）請求項１〜６，前記技術的思想（イ）のいずれかにおいて、前記認証用画像の選択操作は、画面上のカーソルを画像に重ねる操作である。この構成によれば、カーソルを画像に合わせるという簡素な操作によって画像を選択することが可能となる。
【００７１】
（二）請求項１〜６，前記技術的思想（イ）〜（ハ）のいずれかにおいて、前記広告画像広告画像に関連付けられたＵＲＬを基に、ネットワークを通じて当該広告画像のホームページにアクセスするアクセス実行手段を備えた。この構成によれば、例えば認証成立後に希望のホームページに直ぐにアクセスすることが可能となるので、利便性がよくなる。
【００７２】
（ホ）請求項１〜６，前記技術的思想（イ）〜（二）のいずれかにおいて、前記ブラインド表示手段は、前記ブラインド画面を一定時間のみ表示し、一定時間が経過すると、前記ブラインド画面を消去する。この構成によれば、ブラインド画面を一定時間のみ表示するので、ブラインド画面を煩わしく感じるユーザへの対策が可能となる。
【００７３】
（へ）請求項１〜６，前記技術的思想（イ）〜（ホ）のいずれかにおいて、前記ブラインド表示手段は、前記ブラインド画面を消すことが可能な閉じボタンを前記画面に表示し、当該閉じるボタンが選択されたことを確認すると、表示中の前記ブラインド画面を消去する。この構成によれば、ブラインド画面を自由に消去することが可能となるので、ブラインド画面を煩わしく感じるユーザへの対策が可能となる。
【符号の説明】
【００７４】
１…コンピュータとしての電子機器、１２…個人認証システム、１３…画像（認証画像）、２４…ブラインド画面、２５…広告画像、２６…調整ボタンとしての濃淡調整バー、２８…画像データを構成する広告画像データ、２９…ブラインド表示手段としてのブラインド表示処理部、３０…画像データ収集手段を構成する広告画像取得部、３１…画像データを構成する店舗情報データ、３２…画像データ収集手段を構成する周辺店舗情報取得部、３３…位置検出手段としてのＧＰＳ。
【図１】
2013156690.tif 000003
【図２】
2013156690.tif 000004
【図３】
2013156690.tif 000005
【図４】
2013156690.tif 000006
【図５】
2013156690.tif 000007
【図６】
2013156690.tif 000008
【図７】
2013156690.tif 000009
【図８】
2013156690.tif 000010
【図９】
2013156690.tif 000011